(57)【要約】【課題】農作物の生産性，安全性，及び品質安定性を大幅に向上させる。【解決手段】農家の作業者側に設けられた農家側コンピュータ２と、農作物を育成する農地に設けられ、農地及び農地における農作物の情報を検出し、検出した情報を電気通信回線６を介して送信する検出装置３と、電気通信回線６を介して検出装置３が検出した情報を受信し、受信した情報を解析することにより農作物を育成する上で必要な農作業の実施タイミングを判定し、判定された実施タイミングの情報を農家側コンピュータ２にする解析サーバ５とを備える。これにより、農家の作業者は、農作物を育成する上で必要な農作業を行う適切なタイミングを知ることができるので、適切なタイミングで農作業を行い、農作物の生産性，安全性，及び品質安定性を大幅に向上させることができる。【選択図】図１
2006212002.tif 000002
【特許請求の範囲】
【請求項１】
農家の作業者側に設けられた農家側コンピュータと、
農作物を育成する農地に設けられ、農地及び当該農地における農作物の情報を検出し、検出した情報を電気通信回線を介して送信する検出装置と、
電気通信回線を介して前記検出装置が送信した情報を受信し、受信した情報を解析することにより農作物を育成する上で必要な農作業の実施タイミングに関する情報を抽出し、抽出した情報を前記農家側コンピュータに送信する解析サーバと
を備えることを特徴とする農作物生産管理システム。
【請求項２】
請求項１に記載の農作物生産管理システムであって、
前記解析サーバは、前記検出装置が送信した情報から農作物に対する全有効積算温度を算出し、算出された全有効積算温度に従って農作物を育成する上で必要な農作業の実施タイミングを決定することを特徴とする農作物生産管理システム。
【請求項３】
農地における農作物の生産プロセスを管理する農作物生産管理システムのための農作物生産管理プログラムであって、
前記農作物生産管理システムに、
農地及び当該農地における農作物の情報を検出し、検出した情報を電気通信回線を介して送信する処理と、
電気通信回線を介して前記情報を受信する処理と、
受信した情報を解析することにより農作物を育成する上で必要な農作業の実施タイミングに関する情報を抽出、通知する処理と
を実行させることを特徴とする農作物生産管理プログラム。
【発明の詳細な説明】
【技術分野】
【０００１】
本発明は、施肥，播種，灌水，移植，農薬散布，摘花，収穫等の農作業を実施する適切なタイミングを判断，通知することにより、農作物の生産プロセスを管理する農作物生産管理システム及び農作物生産管理プログラムに関する。
【背景技術】
【０００２】
気温，湿度，日射量等の環境情報、農作物の生育情報、灌水・農薬散布等の作業情報といった、農場における現場情報を収集することは、農場において農作物を育成する上で大変重要な作業である。このような背景から、農家の作業者は、自身で作業日誌を作成したり、ＡＭｅＤＡＳデータ等の気象情報を入手したりすることにより現場情報を入手し、入手した情報を利用して農場において農作物を育成している（例えば、特許文献１を参照）。
【特許文献１】特開２００２−２１５７１７号公報
【発明の開示】
【発明が解決しようとする課題】
【０００３】
しかしながら、従来までの農作物の育成作業では、農家の作業者は、暦や自らの経験，勘に基づいて施肥，播種，灌水，移植，農薬散布，摘花，収穫等、農作物を育成する上で必要な農作業を実施するタイミングを判断していたために、農地や農作物にとって最適な育成作業が行われず、農作物の生産性や品質が安定しないことがあった。また、このような背景から、熟練度の低い農家と熟練度の高い農家等、農作物を育成する作業者の違いによって農作物の品質がばらつくことがあった。また、農薬の見込み散布等の無駄な作業を行うことにより、農作物の安全性や経済性が低下することがあった。
【０００４】
すなわち、従来まで農作物の育成作業によれば、農家の作業者は、暦や自らの経験，勘に基づいて農作物を育成する上で必要な農作業を実施するタイミングを判断していたために、農地及び農作物にとって最適な育成作業が行われず、農作物の生産性，安全性，及び品質安定性が低下することあった。
【０００５】
本発明は、上述した実情に鑑みて提案されたものであり、その目的は、農作物を育成する上で必要な農作業を行う適切なタイミングを判断，通知することにより、農作物の生産性，安全性，及び品質安定性を大幅に向上する農作物生産管理システム及び農作物生産管理プログラムを提供することにある。
【課題を解決するための手段】
【０００６】
本発明に係る農作物生産管理システム及び農作物生産管理プログラムは、農地及び農地における農作物の情報を検出し、検出した情報を電気通信回線を介して送信し、電気通信回線を介して検出された情報を受信し、受信した情報を解析することにより農作物を育成する上で必要な農作業の実施タイミングに関する情報を抽出、通知する。
【発明の効果】
【０００７】
本発明に係る農作物生産管理システム及び農作物生産管理プログラムによれば、農家の作業者は、農作物を育成する上で必要な農作業を行う適切なタイミングを知ることができるので、適切なタイミングで農作業を行い、農作物の生産性，安全性，及び品質安定性を大幅に向上させることができる。
【発明を実施するための最良の形態】
【０００８】
以下、図面を参照して、本発明の実施形態となる農作物生産管理システムの構成及びその動作について説明する。
【０００９】
［農作物生産管理システムの構成］
本発明の実施形態となる農作物生産管理システム１は、図１に示すように、農家の作業者側に設けられた農家側コンピュータ（農家側ＰＣ）２と、農作物を育成する農地に設けられた検出装置３と、検出装置３により検出されたデータを集計する集計サーバ４と、集計サーバ４により集計されたデータに基づいて施肥，播種，灌水，移植，農薬散布，摘花，収穫等の農作物を育成する上で必要な農作業（イベント）を行う適切なタイミングを判断，通知する解析サーバ５とを主な構成要素として備え、これらの構成要素はインターネット等の電気通信回線６を介して相互に情報通信可能なように構成されている。
【００１０】
上記農家側ＰＣ２は、パーソナルコンピュータ，携帯電話機，ＰＤＡ（Personal Digital Assistant）等の汎用の情報処理装置により構成され、電気通信回線６を介して各種情報を閲覧，送受信する機能、電気通信回線６を介して検出装置３を遠隔操作する機能を実現するためのコンピュータプログラムがインストールされている。
【００１１】
上記検出装置３は、農作物を育成する農地に設けられ、図２に示すように、電源回路１１を介してソーラーパネル，１００Ｖ電源，１２Ｖバッテリ等の電源から電力の供給を受けることにより駆動される。また、検出装置３の内部には、無線通信により電気通信回線６を介して情報を送受信するための無線通信部３と、温度，湿度，日射量，風向，風速，雨量，二酸化炭素量，土壌ＥＣ（土壌電気伝導度），土中温度，土壌水分，農作物の糖度，葉面濡れ，水田水位，水路流量等の農地の環境情報を検出する検出部１３と、制御信号を出力することにより灌水弁や暖房機等の外部装置を制御するための出力部１４と、検出装置３の動作を制御するための制御部１６とを備える。
【００１２】
なお、無線通信部３は、農家の作業者が検出装置３を介して電気通信回線６に接続可能なように、ホットスポット機能を有する。また、制御部１６は、検出部１３により検出された情報を保持するための記録装置を有すると共に、図２に示すように、接続部１６を介して、農地や農作物の画像を撮影するカメラ１７や外部コンピュータ１８が接続されている。
【００１３】
また、この検出装置３は、電気通信回線６を介して制御部１６に制御信号を入力することにより、遠隔操作可能なように構成されている。また、検出部１３は、複数のセンサを備えるモジュールにより構成され、農家の作業者が検出を希望する情報に応じて、モジュールに備えられるセンサは着脱可能なように構成されている。
【００１４】
上記集計サーバ４は、ワークステーション等の汎用の情報処理装置により構成され、検出装置３が検出した情報を受信する機能、受信した情報を農家及び農作物毎に所定の形式で集計データとして集計する機能、集計データを解析サーバ５に送信するための機能を実現するためのコンピュータプログラムがインストールされている。
【００１５】
上記解析サーバ５は、ワークステーション等の汎用の情報処理装置により構成され、図３に示すように、農家側ＰＣ２や集計サーバ４との間の情報通信処理を制御する通信制御部２１と、集計サーバ４から送信された集計データを農家及び農作物毎に格納する計測データデータベース（計測データＤＢ）２２と、各種農作業を行うタイミングを判断するための判定ルール（詳しくは後述）を格納する判定ルールデータベース（判定ルールＤＢ）２３と、内部に記憶されているタイミング判定プログラム２４に従って判定ルールＤＢ２３を参照することにより各種農作業を行うタイミングを判断する制御部２５とを備える。
【００１６】
そして、このような構成を有する農作物生産管理システム１では、解析サーバ５が、以下に示すタイミング判定処理を実行することにより、農作物を育成する上で必要な各種農作業を行う適切なタイミングを判断，農家側ＰＣ２に通知することにより、農作物の生産性，安全性，及び品質安定性を大幅に向上させる。以下、図４に示すフローチャートを参照して、タイミング判定処理を実行する際の解析サーバ５の動作について説明する。
【００１７】
［タイミング判定処理］
図４に示すフローチャートは、計測データベースＤＢ２２に集計サーバ４から送信された集計データが格納されるのに応じて開始となり、タイミング判定処理はステップＳ１の処理に進む。
【００１８】
ステップＳ１の処理では、制御部２５が、計測データベース２２内に格納された集計データを参照して、全有効積算温度を特徴パラメータとして農作物毎に算出する。なお、本明細書中において、有効積算温度とは、農作物の周辺温度が農作物毎の発育零点温度以上である時に、農作物毎の発育零点温度と周辺温度の差分値を時間積算した値を示す。また、この実施形態では、制御部２５は、特徴パラメータとして全有効積算温度を算出したが、例えば、日平均気温，最高気温，最低気温，週平均気温，積算日射量，葉面濡れ時間，二酸化炭素濃度等の要素を算出し、算出された要素に従って補正した全有効積算温度を特徴パラメータとして算出してもよい。これにより、このステップＳ１の処理は完了し、タイミング判定処理はステップＳ２の処理に進む。
【００１９】
ステップＳ２の処理では、制御部２５が、判定ルールＤＢ２３に格納されている判定ルールに従って、ステップＳ１の処理により算出された特徴パラメータに対応する農作物のプロセス状態を判別する。具体的には、制御部２５は、図５（ａ）に示すように、全有効積算温度が所定値以上になれば農作物は開花プロセス（ステージ）状態にあると判断する等、全有効積算温度の値と種蒔，育苗，一次開花，成熟，二次開花，撤収等のプロセス状態（ステージ）毎の温度範囲とを比較することにより、農作物のプロセス状態がいずれのプロセス状態にあるかを判別する。なお、プロセス状態の種類及びプロセス状態毎の温度範囲は、農作物毎に予め決められ、判定ルールとして判定ルールＤＢ２３に格納されているものとする。これにより、このステップＳ２の処理は完了し、タイミング判定処理はステップＳ３の処理に進む。
【００２０】
ステップＳ３の処理では、制御部２５が、ステップＳ２の処理により判別されたプロセス状態において実施すべき農作業（イベント）を判定する。具体的には、制御部２５は、図６に示すようなプロセス状態と実施すべき農作業が対応付けされたプロセス状態−イベントマトリクス表を予め用意し、このマトリクス表を参照して、例えばプロセス状態が「育苗」であれば実施すべき農作業は「接ぎ木」等、ステップＳ２の処理により判別されたプロセス状態において実施すべき農作業を判定する。なお、この処理の際、制御部２５は、集計データから有効土壌水分，土壌ＥＣ，害虫有効積算温度等の付加パラメータを算出し、図５（ｃ）〜（ｅ）に示すように算出されたパラメータが所定条件を満たす場合において、灌水，施肥，農薬散布等の付加的に実施すべき農作業を判定してもよい。また、この処理の際、制御部２５は、マトリクス表の対応するエリア内に集計データや関連する情報を記録するようにしてもよい。これにより、このステップＳ３の処理は完了し、タイミング判定処理はステップＳ４の処理に進む。
【００２１】
ステップＳ４の処理では、制御部２５が、ステップＳ３の処理により判定された農作業の内容及び実施タイミングに関する情報を電気通信回線６を介して農家側ＰＣ２に送信する。これにより、このステップＳ４の処理は完了し、一連のタイミング判定処理は終了する。
【００２２】
以上の説明から明らかなように、本発明の実施形態となる農作物生産管理システム１によれば、農家の作業者側に設けられた農家側コンピュータ２と、農作物を育成する農地に設けられ、農地及び農地における農作物の情報を検出し、検出した情報を電気通信回線６を介して送信する検出装置３と、電気通信回線６を介して検出装置３が検出した情報を受信し、受信した情報を解析することにより農作物を育成する上で必要な農作業の実施タイミングを判定し、判定された実施タイミングの情報を農家側コンピュータ２にする解析サーバ５とを備える。そして、このような構成によれば、農家の作業者は、農作物を育成する上で必要な農作業を行う適切なタイミングを知ることができるので、適切なタイミングで農作業を行い、農作物の生産性，安全性，及び品質安定性を大幅に向上させることができる。
【００２３】
以上、本発明者によってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００２４】
【図１】本発明の実施形態となる農作物生産管理システムの構成を示す模式図である。
【図２】図１に示す検出装置の内部構成を示すブロック図である。
【図３】図１に示す解析サーバの内部構成を示すブロック図である。
【図４】本発明の実施形態となるタイミング判定処理の流れを示すフローチャート図である。
【図５】特徴パラメータに基づいて農作物のプロセス状態及び実施すべき農作業を決定する方法を説明するための図である。
【図６】農作物のプロセス状態と実施すべき農作業の対応関係を示すマトリクス図である。
【符号の説明】
【００２５】
１：農作物育成支援システム
２：農家側コンピュータ
３：検出装置
４：集計サーバ
５：解析サーバ
１１：電源回路
１２：無線通信部
１３：検知部
１４：出力部
１５：制御部
１６：接続部
１７：カメラ
１８：コンピュータ
２１：通信制御部
２２：計測データデータベース（計測データＤＢ）
２３：判定ルールデータベース（判定ルールＤＢ）
２４：タイミング判定プログラム
２５：制御部
【図１】
2006212002.tif 000003
【図２】
2006212002.tif 000004
【図３】
2006212002.tif 000005
【図４】
2006212002.tif 000006
【図５】
2006212002.tif 000007
【図６】
2006212002.tif 000008